(57)【要約】【課題】簡易な構成でありながらも、装着した手足の部位に十分な刺激を与えられるバンド治具、特に、足裏の土踏まずの部位にも容易に刺激を与えられるバンド治具を提供すること。【解決手段】略環状に成形されると共に、その環の径を拡開可能にする弾性を有し、手足に嵌めて用いられるバンド治具において、環の内面に、ゲルマニウムを含有したゴムの突起を散在させる。バンド治具を、足に嵌めるレッグバンドとし、足裏の土踏まずの部位に、ゲルマニウム含有ゴム突起を対応させて配置可能としてもよい。環を構成する生地に、布製の内層、ゴム製の中間層、布製の外層の３層を設け、ゴム製中間層に、多数の通気孔を分布させてもよい。ゴム製中間層として、チタンを含有したネオプレン（登録商標）ゴムを用いてもよい。【選択図】図３
0003150103.tif 000002
【実用新案登録請求の範囲】
【請求項１】
略環状に成形されると共に、その環の径を拡開可能にする弾性を有し、手足に嵌めて用いられるバンド治具において、
環の内面に、ゲルマニウムを含有したゴムの突起を散在させた
ことを特徴とするバンド治具。
【請求項２】
バンド治具が、足に嵌めるレッグバンドであり、
足裏の土踏まずの部位に、ゲルマニウム含有ゴム突起を対応させて配置可能である
請求項１に記載のバンド治具。
【請求項３】
環を構成する生地が、布製の内層、ゴム製の中間層、布製の外層の３層を備え、
ゴム製中間層に、多数の通気孔を分布させた
請求項１または２に記載のバンド治具。
【請求項４】
ゴム製中間層が、チタンを含有したネオプレン（登録商標）ゴムから成る
請求項１ないし３に記載のバンド治具。
【考案の詳細な説明】
【技術分野】
【０００１】
本考案は、手足に嵌めて用いるバンド治具に関する。
【背景技術】
【０００２】
従来から、リストバンドやサポーターとして、手足に嵌めて用いるバンド治具が公知である。
また、厳密には医学的に証明されていないが、ゲルマニウムを身に付けることに関する健康増進効果が知られている。
それらに関連する従来技術として、特許文献１〜５が挙げられる。
【０００３】
しかし、従来のバンド治具では、装着した手足の部位に十分な刺激を与えることが困難であった。特に、足裏の土踏まずの部位に、刺激を与える構成のものはなかった。
【先行技術文献】
【特許文献】
【０００４】
【特許文献１】実用新案登録第３０９８５６６号  「帯状治療具」
【特許文献２】実用新案登録第３１１９９２９号  「健康バンド」
【特許文献３】特開平５−３０９１３８  「保健および治療効果を有する製品およびその製造方法」
【特許文献４】特開平１１−６１５２８  「竹炭入りバンド及びソックス」
【特許文献５】特開２００６−２８８４８４  「健康リストバンド」
【考案の概要】
【考案が解決しようとする課題】
【０００５】
そこで、本考案は、簡易な構成でありながらも、装着した手足の部位に十分な刺激を与えられるバンド治具、特に、足裏の土踏まずの部位にも容易に刺激を与えられるバンド治具を提供することを課題とする。
【課題を解決するための手段】
【０００６】
上記課題を解決するために、本考案のバンド治具は、次の構成を備える。すなわち、略環状に成形されると共に、その環の径を拡開可能にする弾性を有し、手足に嵌めて用いられるバンド治具において、環の内面に、ゲルマニウムを含有したゴムの突起を散在させたことを特徴とする。
【０００７】
ここで、バンド治具を、足に嵌めるレッグバンドとし、足裏の土踏まずの部位に、ゲルマニウム含有ゴム突起を対応させて配置可能としてもよい。
【０００８】
また、環を構成する生地に、布製の内層、ゴム製の中間層、布製の外層の３層を設け、ゴム製中間層に、多数の通気孔を分布させて、装着感及び通気性の向上に寄与させてもよい。
【０００９】
ゴム製中間層としては、チタンを含有したネオプレン（登録商標）ゴムが好適に使用できる。
【考案の効果】
【００１０】
本考案のバンド治具によると、ゲルマニウムを含有したゴムの突起によって、装着した手足の部位に有効な刺激を与えられ、健康増進に寄与する。
【図面の簡単な説明】
【００１１】
【図１】本考案によるバンド治具の斜視図
【図２】バンド治具の内面の一部を示す説明図
【図３】バンド治具の生地の断面の一部を示す説明図
【図４】バンド治具の生地におけるゴム製の中間層の一部を示す説明図
【図５】バンド治具を足に装着させた様態を示す説明図
【符号の説明】
【００１２】
１０  生地
１１  突起
１２  内層
１３  中間層
１４  外層
１５  通気孔
２０  足
【考案を実施するための形態】
【００１３】
以下に、本考案の実施形態を説明する。なお、本考案の趣旨から逸脱しない範囲で、適宜設計変更可能であり、前記特許文献や従来公知の技術を援用可能である。
図１は、本考案によるバンド治具の斜視図である。
バンド治具は、略帯状の生地（１０）の両端部を接合させることで、略環状に成形される。生地（１０）は、その環の径を拡開可能に伸縮する弾性を有し、手足等に嵌めて用いることができる。
環の内面には、ゲルマニウムを含有したゴムの突起（１１）が散在し、装着した手足の部位に刺激を与えられる。
【００１４】
図２は、バンド治具の内面の一部を示す説明図である。
バンド治具は、リストバンド等として用いてもよいが、足に嵌めるレッグバンドとしても有効に用いられる。
その場合は、足裏の土踏まずの部位に、突起（１１）を対応させて配置できるように、突起（１１）を分布させる。
例えば、図示のように、略三角形状に分布させ、中央寄りの突起（１１ａ）の高さまたは大きさを、周縁寄りの突起（１１ｂ）の高さまたは大きさより大きくする。
このような突起（１１）の分布は、平均的な大人の足の形状に合わせて設計してもよいし、多数のサイズのものを用意してもよい。
【００１５】
図３は、バンド治具の生地の断面の一部を示す説明図である。
生地（１０）には、布製の内層（１２）、ゴム製の中間層（１３）、布製の外層（１４）の３層、またはそれ以上の層を設けることが好ましい。
ゴム製中間層（１３）としては、例えば、チタンを含有したネオプレン（登録商標）ゴムが好適に使用できる。
これらの層（１２）（１３）（１４）は、従来公知の方法によって貼り合わせ一体化可能である。
【００１６】
図４は、バンド治具の生地におけるゴム製の中間層（１３）の一部を示す説明図である。
ゴム製中間層（１３）には、多数の通気孔（１５）を分布させることが好ましい。これらによって、簡易な構成でありながら、快適な装着感及び通気性が得られる。
【００１７】
図５は、バンド治具を足（２０）に装着させた様態を示す説明図である。
足裏の土踏まずの部位に突起（１１）を対応させて配置して装着することで、歩行の度に、有効な刺激を与えられ、健康増進に寄与する。
【産業上の利用可能性】
【００１８】
以上のように、本考案によると、簡易な構成でありながらも、単に装着して歩行するなどの動作で、足裏の土踏まずの部位等に有効な刺激を与えられるので、健康増進に寄与し、産業上非常に有用である。
【図１】
0003150103.tif 000003
【図２】
0003150103.tif 000004
【図３】
0003150103.tif 000005
【図４】
0003150103.tif 000006
【図５】
0003150103.tif 000007
【手続補正書】
【提出日】平成21年2月24日(2009.2.24)
【手続補正１】
【補正対象書類名】実用新案登録請求の範囲
【補正対象項目名】請求項４
【補正方法】変更
【補正の内容】
【請求項４】
ゴム製中間層が、チタンを含有したネオプレン（登録商標）ゴムから成る
請求項３に記載のバンド治具。